(57)【要約】異種内容物混合式化粧品容器であり、異種の内容物をそれぞれ別個の空間に貯留した状態で、使用するための開放の前に異種の内容物が混合されるようにした後、混合内容物が単一のポンピング動作によって単一の排出通路を介して排出されるようにした。本発明は、二重容器本体１１、エアレスポンプ１２および押しボタン１３を含む異種内容物混合式化粧品容器において、混合誘発部材４３、４０３の係止突起４３ｃ、４０３ｃの解除により弾性部材４３、４０３を上昇させて反発力で混合誘発部材４３、４０３を上昇させて第１内容物収容手段２０の密閉遮断板２１ａを破損させながら、異種内容物収容手段４０、４００に収容された第２内容物２を加圧して、二重容器本体１１に収容された第１内容物（１）内へ噴出させて混合させる異種内容物収容手段４０、４００が設けられ、エアレスポンプ１２の押圧操作により第３内容物３を吐出させる。
2016505285.tif 000002
【特許請求の範囲】
【請求項１】
二重容器本体（１１）、エアレスポンプ（１２）および押しボタン（１３）を含む異種内容物混合式化粧品容器において、
混合誘発部材（４３、４０３）の係止突起（４３ｃ、４０３ｃ）の解除により弾性部材（４３ｂ、４０３ｂ）の反発力で混合誘発部材（４３、４０３）を上昇させて第１内容物収容手段（２０）の密閉遮断板（２１ａ）を破損させながら、異種内容物収容手段（４０、４００）に収容された第２内容物（２）を加圧して、前記二重容器本体（１１）に収容された第１内容物（１）内へ噴出させて混合させる異種内容物収容手段（４０、４００）が設けられ、前記エアレスポンプ（１２）の押圧操作により第３内容物（３）を吐出させることを特徴とする、異種内容物混合式化粧品容器。
【請求項２】
前記第１内容物収容手段（２０）は、
前記二重容器本体（１１）の内径に嵌合固定され、前記第２内容物ハウジング（４１）の上端と結合される異種内容物遮断部材（２１）を含み、前記異種内容物遮断部材（２１）には、第１内容物（１）と第２内容物（２）が混ぜられることを遮断する密閉遮断板（２１ａ）を含んで構成されたことを特徴とする、請求項１に記載の異種内容物混合式化粧品容器。
【請求項３】
前記第１内容物収容手段（２０）は、穿孔ピン案内部材（２１ｃ）を含み、前記穿孔ピン案内部材（２１ｃ）は、異種内容物遮断部材（２１）に結合されながら、下端で密閉遮断板（２１ａ）を圧迫して固定することを特徴とする、請求項１または２に記載の異種内容物混合式化粧品容器。
【請求項４】
前記二重容器本体（１１）は、両端が開放された円筒体からなり、一側端側の下端部には下部キャップ（３０）が結合され、前記下部キャップ（３０）の内周縁部の回転溝（３１）と前記二重容器本体（１１）の外周縁部の回転突起（１１’）との嵌合によって回動可能に結合されることを特徴とする、請求項１に記載の異種内容物混合式化粧品容器。
【請求項５】
前記下部キャップ（３０）の内部中央には、開口溝（３２ａ）と係止突起（３２ｂ）とを含む係止部材（３２）が設けられたことを特徴とする、請求項４に記載の異種内容物混合式化粧品容器。
【請求項６】
前記異種内容物収容手段（４０）は、二重容器本体（１１）の内径に嵌合され、下端には、下部キャップ（３０）の内部に結合され、第２内容物（２）を収容して下部キャップ（３０）を回動させると、固定された状態から解除されて弾性力によりピストン（４２）を上昇させる混合誘発部材（４３）が設けられたことを特徴とする、請求項１に記載の異種内容物混合式化粧品容器。
【請求項７】
前記異種内容物収容手段（４０）には、
第２内容物（２）を収容する第２内容物ハウジング（４１）と、
第２内容物（２）の気密を維持しながら内容物を上昇させて噴出させるピストン（４２）と、
前記ピストン（４２）の内部に設けられ、上側の中央に穿孔ピン（４３ａ）を有し、下側に弾性部材（４３ｂ）を収容し、下端部に係止突起（４３ｃ）を有する混合誘発部材（４３）とを含んで構成されたことを特徴とする、請求項１または６に記載の異種内容物混合式化粧品容器。
【請求項８】
前記二重容器本体（１１）の下部には、第２内容物（２）を収容する第２内容物ハウジング（４０１）と、第２内容物の気密を維持しながら内容物を上昇させて噴出させるピストン（４０２）とが含まれた異種内容物収容手段（４００）が設けられており、
前記ピストン（４０２）の内部には、上側の中央に穿孔ピン（４０３ａ）を有し、下側に弾性部材（４０３ｂ）を収容し、下端部に係止顎（４０３ｃ）を有する混合誘発部材（４０３）が設けられており、
前記第２内容物ハウジング（４０１）の中央には、前記係止顎（４０３ｃ）に対応する前記係止部材（４０１ａ）が設けられており、
前記混合誘発部材（４０３）の下端には、混合誘発部材（４０３）の下端に待機しており、上側に人為的に加圧すると、前記係止部材（４０１ａ）を両側に拡開するようにして混合誘発部材（４０３）が制動から解除されて上昇できるようにする押圧部材（４０４）が設けられており、
前記押圧部材（４０４）は、混合誘発部材（４０３）を上昇させた後、前記係止部材（４０１ａ）の自体弾性力によって元の位置状態になり、前記係止部材（４０１ａ）によって押されて下降するが、押圧部材（４０４）のリブ（４０４ａ）に設けられた係止顎（４０４ｂ）が下部キャップ（４０５）の制動部（４０５ａ）に制動されることを特徴とする、請求項１に記載の異種内容物混合式化粧品容器。
【発明の詳細な説明】
【技術分野】
【０００１】
本発明は、異種内容物混合式化粧品容器に係り、さらに詳しくは、異種の内容物をそれぞれ別個の空間に貯留した状態で、使用するために開放するの前に異種の内容物が混合されるようにした後、混合内容物が単一のポンピング動作によって単一の排出通路を介して排出されるようにした異種内容物混合式化粧品容器に関する。
【背景技術】
【０００２】
化粧品類の中でも、液状または粘性の低いゲル状の化粧品類、例えばローション類、クリーム類、ゲル類、シャンプー、リンスなどの場合には、内容物を容易に噴出させて使用することができるようにエアレスポンプを化粧品容器に収容して使用する。
【０００３】
このような、粘性度(coefficient of viscosity)を有する化粧品類を収容する化粧品容器は、収容された内容物を少量排出した後に使用するように設計され、特に機能性化粧品が収容された容器に多く適用されている。
【０００４】
また、化粧品容器に適用されたエアレスポンプは、互いに異なる成分の２種の内容物を混合して排出する異種内容物混合式化粧品容器にも使用される。言い換えれば、機能性化粧品の一種として、互いに異なる成分の内容物を混合して使用するときにその効果が増進する製品があるが、このような機能性化粧品の容器にエアレスポンプを装着して内容物を排出させることができる。
【０００５】
図１は成分の異なる２種の内容物を混合して排出させる従来の異種内容物混合式化粧品容器を示す。図示の如く、従来の異種内容物混合式化粧品容器１０は、容器本体１１、エアレスポンプ１２ａ、１２ｂ、ピストン１３ａ、１３ｂ、および押しボタン１４を含んでなる。
【０００６】
前記において、容器本体１１は、その内部空間が隔壁によって二つの収納部１１ｂ、１１ｃに分けられ、このような二つの収納部１１ｂ、１１ｃに異なる成分の２種の内容物が充填され、二つの収納部１１ｂ、１１ｃの上部に内容物の外部排出のための開口部がそれぞれ設けられる。そして、容器本体１１の開放された下部は閉キャップ１１ｄによって外部から遮断される。
【０００７】
エアレスポンプ１２ａ、１２ｂは、一対からなり、容器本体１１の二つの収納部１１ａ、１１ｂの上部に装着される。すなわち、一対のエアレスポンプ１２ａ、１２ｂが二つの収納部１１ａ、１１ｂの開口部の周辺にそれぞれ装着される。
【０００８】
ピストン１３ａ、１３ｂは一対からなる。一対のピストン１３ａ、１３ｂが容器本体１１の二つの収納部１１ａ、１１ｂにそれぞれ設置される。このようなピストン１３ａ、１３ｂは収納部１１ａ、１１ｂの内側でエアレスポンプ１２ａ、１２ｂの作動と連係して上昇移動する。このように上昇移動するピストン１３ａ、１３ｂは収納部１１ａ、１１ｂ内の内容物を上方に押し上げる。
【０００９】
押しボタン１４は、エアレスポンプ１２ａ、１２ｂの加圧のためにエアレスポンプ１２ａ、１２ｂの上側に設置される。このような押しボタン１４には、容器本体１１の二つの収納部１１ａ、１１ｂから排出される成分の異なる２種の内容物を誘導した後に混合排出させる構造が設けられる。
【００１０】
次は、図２を参照して、前述したように構成された従来の異種内容物混合式化粧品容器の作用について説明する。
【００１１】
まず、押しボタン１４を押して、それぞれの収納部１１ａ、１１ｂに位置したエアレスポンプ１２ａ、１２ｂをポンピングさせると、ポンプシリンダー１８ａ、１８ｂの内部に圧力が発生すると同時にピストンロッド１６ａ、１６ｂの内容物の移送路が確保され、これにより、ポンプシリンダー１８ａ、１８ｂの内部に充填されていた内容物が押しボタン１４の排出管１５ａ、１５ｂを経て排出管１５ａ、１５ｂに連通する吐出孔１４ａ、１４ｂから吐出される。このとき、ポンプシリンダー１８ａ、１８ｂの開閉用ボールは流入孔１９ａ、１９ｂを遮断した状態である。
【００１２】
このように押しボタン１４を押圧して内容物を排出した後、押しボタン１４に加えられた外力を除去すると、スプリング１７ａ、１７ｂの反発力を受けているピストンロッド１６ａ、１６ｂが元の位置に上昇する。この際、ポンプシリンダー１８ａ、１８ｂの内部に真空圧が発生することにより、流入孔１９ａ、１９ｂを遮断していた開閉用ボールが離隔して内容物の流入通路が確保される。こうして確保された流入通路を介して収納部１１ａ、１１ｂの内容物がポンプシリンダー１８ａ、１８ｂの内部に充填される。
【００１３】
前述したような一連の過程を経て、容器本体１１の二つの収納部１１ａ、１１ｂに収容された互いに異なる成分の内容物が均等（同一）の割合で排出および混合された後、外部へ最終排出されて使用される。
【００１４】
ところが、前述したような従来の異種内容物混合式化粧品容器は、それぞれのエアレスポンプを介して排出された異種の内容物が押しボタンの短くてストレートな排出通路で組み合わされて排出されるものである。よって、最終排出される内容物は２種の内容物を均一に混合していない状態である。
【００１５】
これにより、ユーザーが最終排出された内容物をさらによく混ぜて使用しなければならない煩わしさが伴い、これを面倒がって大まかに混ぜた後に使用すると、内容物の機能低下や異常現象につながる。
【００１６】
また、従来の異種内容物混合式化粧品容器は、異種の内容物がそれぞれ収容された二つの収納部にエアレスポンプがそれぞれ装着された形態であるので、二つのエアレスポンプが最初の製作時のポンピング機能を保持した場合にのみ、２種の内容物が適切な割合で混合できる。
【００１７】
すなわち、２つのエアレスポンプのいずれかでも使用中に機能低下現象を起こすと、該当収納部の内容物が容器の最初の設計時の排出量とは異なる量で排出され、これにより異種の内容物が適切な割合で混合されないため、結果的に最終排出される内容物の機能低下または異常現象につながる。
【００１８】
また、従来の異種内容物混合式化粧品容器は、２つのエアレスポンプに常に同一の力が加えられるときにのみ２種の内容物が適切な割合で混合される。
【００１９】
言い換えれば、押しボタンがどちらか一方に偏って押されると、２つのエアレスポンプのいずれかに加えられる力が相対的に強くなり、該当エアレスポンプを介して相対的に多くの量の内容物が吐出されると同時に、他のエアレスポンプを介して相対的に少ない量の内容物が吐出される。
【００２０】
結果的に、異種の内容物が適切な割合で混合されないから、最終排出される内容物の機能低下および異常現象につながる。
【００２１】
また、従来の異種内容物混合式化粧品容器は、２つのエアレスポンプおよびピストンを必要とする形態であるので、その構造が比較的複雑であり、その結果として生産コストの上昇およびそれによる販売価格の上昇をもたらすおそれがある。
【発明の概要】
【発明が解決しようとする課題】
【００２２】
本発明は、上述した問題点を解決するためになされたもので、その目的は、異種の内容物をそれぞれ別個の空間に貯留した状態で、最初の使用の際にワンタッチ操作によって異種の内容物が混合されるようにした後、混合内容物が単一のポンピング動作によって単一の排出通路を介して排出されるようにした異種内容物混合式化粧品容器を提供することにある。
【課題を解決するための手段】
【００２３】
上記目的を達成するために、本発明は、二重容器本体１１、エアレスポンプ１２および押しボタン１３を含む異種内容物混合式化粧品容器１０において、混合誘発部材４３の係止突起４３ｃの解除により弾性手段の反発力で混合誘発部材４３を上昇させて穿孔ピン４３ａで密閉遮断板２１ａを破損させながら、異種内容物収容手段４０に収容された第２内容物２を加圧して、前記二重容器本体１１に収容された第１内容物１内へ噴出させて混合させる異種内容物供給手段４０が設けられ、前記エアレスポンプ１２の押圧操作により第３内容物３を吐出させることを特徴とする、異種内容物混合式化粧品容器を提供する。
【発明の効果】
【００２４】
上述した本発明は、異種の内容物をそれぞれ別個の空間に貯留した状態で、最初の使用の際にワンタッチ操作により異種の内容物が混合されるようにした後、混合内容物が単一のポンピング動作により単一の排出通路を介して排出されるようにすることにより、異種の内容物を均一な混合状態で排出させるとともに使用性を向上させるという効果を奏する。
【００２５】
また、本発明は、一つのエアレスポンプとピストンを備えながらも、同じ容器内に分離貯留された異種の内容物を混合排出することができるようにすることにより、構造の簡素化および生産コストの低減を図るという効果を奏する。
【図面の簡単な説明】
【００２６】
【図１】従来の異種内容物混合式化粧品容器の構成を示す断面図である。
【図２】従来の異種内容物混合式化粧品容器の作用を示す使用状態図である。
【図３】本発明の実施形態に係る全体構成を示す分解斜視図である。
【図４】本発明の実施形態に係る全体構成を示す断面図である。
【図５】本発明の実施形態に係る異種内容物の混合状態を示す作用状態断面図である。
【図６】本発明の実施形態に係る異種内容物の混合状態を示す作用状態断面図である。
【図７】本発明に適用された下部キャップの内部に設けられた係止部材の要部抜粋平面図である。
【図８】図５のａ部分の拡大図である。
【図９】本発明のエアレスポンプのポンピング動作によって混合内容物が吐出される状態を示す断面図である。
【図１０】本発明の異種内容物混合式化粧品容器の他の実施形態の断面図である。
【図１１】図１０のｂの拡大断面図である。
【図１２】本発明の異種内容物混合式化粧品容器の他の実施形態の作用状態図である。
【発明を実施するための形態】
【００２７】
以下、添付図面を参照して本発明を具体的に説明する。
【００２８】
まず、本発明は、図３および図４に示すように、二重容器本体１１、エアレスポンプ１２、および押しボタン１３を含む異種内容物混合式化粧品容器１０において、混合誘発部材４３の係止突起４３ｃの解除により弾性部材４３ｂの反発力で混合誘発部材４３を上昇させて穿孔ピン４３ａで密閉遮断板２１ａを破損させながら、異種内容物収容手段４０に収容された第２内容物２を加圧して、前記二重容器本体１１に収容された第１内容物１内へ噴出して混合させる異種内容物供給手段４０が設けられ、前記エアレスポンプ１２の押圧操作により第３内容物３を吐出させるものである。
【００２９】
前記二重容器本体１１は、一側端が開放され且つ他側端が遮断された単一の円筒体であってもよく、両端が開放された円筒体からなるが、一側端側の下端部には下部キャップ３０が結合されて遮断されたものであってもよい。
【００３０】
ここで、下部キャップ３０の内周縁部に設けられた回転溝３１が二重容器本体１１の外周縁部の案内突起１１’に嵌合され、これにより下部キャップと二重容器本体とは回動可能に結合される。
【００３１】
また、下部キャップ３０の内部中央には、開放溝３２ａと係止突起３２ｂが反復的に形成されてなる係止部材３２が設けられている。
【００３２】
前記二重容器本体１１の下部には異種内容物収容手段４０が設けられる。前記異種内容物収容手段４０は、前記二重容器本体１１の内径に嵌合され、下端部には、前記下部キャップ３０の内部に結合され、第２内容物２を収容して下部キャップ３０を回動させると、固定された状態から解除されて弾性力によりピストン４２を上昇させる混合誘発部材４３が設けられている。
【００３３】
前記異種内容物収容手段４０には、第２内容物２を収容する第２内容物ハウジング４１と、第２内容物２の気密を維持しながら内容物を上昇させて噴出させるピストン４２と、前記ピストン４２の内部に設けられ、上側中央に穿孔ピン４３ａを有し、下側に弾性部材４３ｂを収容し、下端部に係止突起４３ｃを有する混合誘発部材４３とが設けられている。
【００３４】
ここで、穿孔ピン４３ａの端部は、薄い板を容易に穿孔することができる程度に尖ってもよく、穿孔ピン４３ａの断面形状は「＋（プラス）」形状であってもよい。
【００３５】
前記第１内容物収容手段２０は、二重容器本体１１の内径に嵌合固定され、前記第２内容物ハウジング４１の上端と結合され、第２内容物２を第１内容物１から隔離して保管する手段であって、異種内容物遮断部材２１の中央下側には、前記異種内容物収容手段４０に収容された第２内容物２を遮断する密閉遮断板２１ａが配置され、異種内容物遮断部材２１の上側に結合されると同時に混合排出管２１ｂの下端部に結合されて前記穿孔ピン４３ａの上昇を案内する穿孔ピン案内部材２１ｃが設けられているが、前記穿孔ピン案内部材２１ｃは、前記異種内容物遮断部材２１に結合されながら下端で密閉遮断板２１ａを圧迫して固定する。
【００３６】
ここで、密閉遮断板２１ａは、ビニルまたはポリエチレン（ＰＥ）であってもよく、これに限定されず、液体密閉性に優れ且つ前記穿孔ピン４３ａによって容易に破れる材料であればいずれでも使用可能である。
【００３７】
また、前記混合排出管２１ｂの上端の外周縁部には、第１内容物１の気密を維持しながら第２内容物２が流入して混合されると、流入する第２内容物２の量だけ上昇するピストン２１ｄが設けられている。
【００３８】
前記異種内容物収容手段４０の別の実施例として、図１０に示すように、前記異種内容物収容手段４００には、第２内容物２を収容する第２内容物ハウジング４０１と、第２内容物の気密を維持しながら内容物を上昇させて噴出させるピストン４０２が設けられている。また、前記ピストン４０２の内部には、上側中央に穿孔ピン４０３ａを有し、下側に弾性部材４０３ｂを収容し、下端部に係止顎４０３ｃを有する混合誘発部材４０３が設けられている。
【００３９】
また、前記第２内容物ハウジング４０１の中央には、前記係止顎（係止噛み合い部）４０３ｃに対応する前記係止部材４０１ａが設けられている。
【００４０】
一方、前記混合誘発部材４０３の下端には、混合誘発部材４０３の下端に待機しており、上方に人為的に加圧すると、前記係止部材４０１ａを両側に拡開するようにして混合誘発部材４０３が制動から解除されて上昇できるようにする押圧部材４０４が設けられている。
【００４１】
ここで、押圧部材４０４は、混合誘発部材４０３を上昇させた後、前記係止部材４０１ａの自体弾性力によって元の位置状態になり、前記係止部材４０１ａによって押されて下降するが、押圧部材４０４のリブ４０４ａに設けられた係止顎４０４ｂが下部キャップ４０５の制動部４０５ａに制動されるのである。
【００４２】
以下、このように構成できる本発明の作用を説明する。
【００４３】
まず、本発明は、エアレスポンプ１２を用いたポンピング動作により第３内容物３を吐出させて使用するに先立ち、異種の内容物、すなわち、第１内容物収容手段２０に収容された第１内容物１と、異種内容物収容手段４０が形成する空間に収容された第２内容物２とを混合しなければならない。
【００４４】
このための混合動作は、図５〜図８に示すように、下部キャップ３０を回転（時計回りまたは反時計回り）させると、係止突起３２ｂに係止されていた混合誘発部材４３の係止突起４３ｃが開放溝３２ａに位置することになる。
【００４５】
すると、混合誘発部材４３を統制していた係止突起４３ｃが解除されて弾性部材４３ｂの弾性によって混合誘発部材４３が上昇するとともに、混合誘発部材４３の外周面にあるピストン４２は第２内容物２を上昇させ、混合誘発部材４３の上端に設けられた穿孔ピン４３ａは、異種内容物遮断部材２１の中央にある密閉遮断板２１ａを穿孔し、上方に上がりながら穿孔ピン案内部材２１ｃの案内を受けて穿孔ピン案内部材２１ｃの中央に進入することになる。
【００４６】
上述のように穿孔ピン４３ａによって密閉遮断板２１ａを穿孔すると、第２内容物２は、穿孔された密閉遮断板２１ａを通過して第１内容物１と混合される。
【００４７】
このとき、前記第１内容物１は透明な液状の化粧品であり、第２内容物２は色味を帯びるか少なくとも半透明な化粧品でありうるから、両方の内容物が混合されるとき、綿雲が湧き上がるように混合されて神秘感を演出する。
【００４８】
一方、図６に示すように、混合誘発部材４３の上側の水平面が異種内容物遮断部材２１の下側の水平面と接触すると、第２内容物ハウジング４１に収容された第２内容物２は、すべて第１内容物１内へ移動して混ぜられた状態になって第３内容物３となる。このとき、図５に示すように混合排出管２１ｂに設けられたピストン２１ｄは、流入する第２内容物２の量によって上昇し、図６に示すようにエアレスポンプ１２の下端まで押し上げられる。
【００４９】
このとき、混合排出管２１ｂの上端に位置した逆止め弁ＣＶは、混合された内容物が排出されないように遮断した状態にある。
【００５０】
前述のように第１内容物１と第２内容物２とが混合されてなる第３内容物３を使用しようとするときは、図９に示すように、押しボタン１３を押してエアレスポンプ１２を動作させると、第３内容物３がポンピングされて所定の経路に沿って上昇し、押しボタン１３の吐出口から吐出されて使用可能となる。
【００５１】
これをさらに具体的に説明すると、前記押しボタン１３を押してエアレスポンプ１２がポンピング動作すると、ポンプシリンダーの内部に圧力が発生すると同時にピストンロッドの内容物移送路が確保され、これにより、ポンプシリンダーの内部に充填されていた内容物が押しボタン１３の排出管を経て吐出口から吐出される。
【００５２】
このとき、ポンプシリンダーの逆止め弁ＣＶは流入孔を遮断した状態である。
【００５３】
このように押しボタン１３を押して内容物を排出した後、押しボタン１３に加えられた外力を除去すると、エアレスポンプ１２のスプリングの反発力を受けているピストンロッドが元の位置に上昇する。この際、ポンプシリンダーの内部に真空圧が発生することにより、流入孔を遮断していた逆止め弁ＣＶが離隔して内容物の流入通路が確保される。
【００５４】
こうして確保された流入通路と混合排出管２１ｂを介して二重容器本体１１内の第３内容物３がポンプシリンダーの内部に充填され、第３内容物３が排出された分だけ、ピストン２１ｄは下方に下がる。
【００５５】
このように構成される本発明は、異種の内容物をそれぞれ別個の空間に貯留した状態で、最初の使用の際にワンタッチ操作により異種の内容物が混合されるようにした後、混合された内容物が単一のポンピング動作によって単一の排出通路を介して排出されるようにすることにより、異種の内容物を均一な混合状態で排出させるとともに使用性を向上させる。
【００５６】
また、本発明は、一つのエアレスポンプとピストンを備えながらも、同じ容器内に分離貯留された異種の内容物を混合排出することができるようにすることにより、構造の簡素化およびそれによる生産コストの低減を図る。
【００５７】
以上、本発明の原理を例示するための好適な実施例について説明および図示したが、本発明はそのように図示および説明された構成および作用に限定されるものではない。
【００５８】
その他にも、添付された請求の範囲の思想および範疇を逸脱することなく、本発明に対して様々な変更および修正を加え得ることは当業者にとって自明である。
【００５９】
したがって、それらのすべての適切な変更および修正並びに均等物も本発明の範囲に属するもと見なされるべきである。
【符号の説明】
【００６０】
１０    エアレス化粧品容器
１１    二重容器本体
１２    エアレスポンプ
１３    押しボタン
１    第１内容物
２    第２内容物
３    第３内容物
２０    第１内容物収容手段
２１    異種内容物遮断部材
３０    下部キャップ
３２    係止部材
４０    異種内容物収容手段
４１    第２内容物ハウジング
４２    ピストン  
４３    混合誘発部材
４００    異種内容物収容手段
４０１    第２内容物ハウジング
４０２    ピストン
４０３    混合誘発部材
４０４    押圧部材
４０５    下部キャップ
【図１】
2016505285.tif 000003
【図２】
2016505285.tif 000004
【図３】
2016505285.tif 000005
【図４】
2016505285.tif 000006
【図５】
2016505285.tif 000007
【図６】
2016505285.tif 000008
【図７】
2016505285.tif 000009
【図８】
2016505285.tif 000010
【図９】
2016505285.tif 000011
【図１０】
2016505285.tif 000012
【図１１】
2016505285.tif 000013
【図１２】
2016505285.tif 000014
【国際調査報告】
2016505285.tif 000015
2016505285.tif 000016
2016505285.tif 000017
2016505285.tif 000018